(57)【要約】【課題】電池を効率よく冷却しながら速やかに充電する。充電できる電池を簡単に脱着する。充電容量が異なる電池パックも充電できるようにする。【解決手段】ソーラー充電器は、充電できる電池１を脱着自在にセットできる支持脚２と、この支持脚２で所定の傾斜角（α）に支持される電池パネル３とを備える。電池１は細長いロッド状電池パック１０で、支持脚２の電源端子２２に接続される接続端子１２を先端部に備える。支持脚２は、太陽電池パネル３の裏面に固定されて、ロッド状電池パック１０の先端部を脱着自在に挿入して連結する脱着穴２０を有している。脱着穴２０は、ここに挿入されるロッド状電池パック１０の後端部を太陽電池パネル３の背面に配置する位置にあって、電源端子２２を内面に設けている。ソーラー充電器は、脱着穴２０にロッド状電池パック１０の先端部を挿入して、太陽電池パネル３の発電電力でロッド状電池パック１０を充電する。【選択図】図４
2010193686.tif 000002
【特許請求の範囲】
【請求項１】
充電できる電池(1)を脱着自在にセットできる支持脚(2)と、この支持脚(2)に連結されて支持脚(2)に電池(1)の充電電力を供給すると共に、前記支持脚(2)で所定の傾斜角（α）に支持される太陽電池パネル(3)とを備えるソーラー充電器であって、
前記充電できる電池(1)は細長いロッド状電池パック(10)、(30)であって、先端部に支持脚(2)に設けている電源端子(22)に接続される接続端子(12)を備えており、
前記支持脚(2)は、太陽電池パネル(3)の裏面に固定されて太陽電池パネル(3)を所定の傾斜角（α）に支持する形状であって、前記ロッド状電池パック(10)、(30)の後端部を外部に突出させて先端部を脱着自在に挿入して連結する脱着穴(20)を有し、この脱着穴(20)は、ここに挿入されて脱着穴(20)の外部にある前記ロッド状電池パック(10)、(30)を太陽電池パネル(3)の背面に配置する位置にあって、前記ロッド状電池パック(10)、(30)の接続端子(12)に接続される電源端子(22)を内面に設けており、
前記支持脚(2)に設けている脱着穴(20)にロッド状電池パック(10)、(30)の先端部が挿入されて、前記太陽電池パネル(3)の発電電力でロッド状電池パック(10)、(30)が充電されるようにしてなるソーラー充電器。
【請求項２】
前記支持脚(2)が柱状で、太陽電池パネル(3)を固定してなる固定面(2B)は柱状である支持脚(2)の長手方向に対して直交する面で、底面(2A)を柱状である支持脚(2)の長手方向に対して傾斜する面としており、底面(2A)を水平面に載せて、前記太陽電池パネル(3)を所定の傾斜角（α）に配置すると共に、柱状である支持脚(2)の上面(2C)に脱着穴(20)を設けてなる請求項１に記載されるソーラー充電器。
【請求項３】
前記支持脚(2)に設けている脱着穴(20)が、前記太陽電池パネル(3)と平行な方向に伸びるように設けられて、ここに挿入されるロッド状電池パック(10)、(30)を太陽電池パネル(3)と平行に配置する請求項１又は２に記載されるソーラー充電器。
【請求項４】
前記支持脚(2)の上面(2C)が太陽電池パネル(3)と直交する面であって、この上面(2C)に直交する方向に伸びるように脱着穴(20)を設けている請求項２に記載されるソーラー充電器。
【請求項５】
前記支持脚(2)が、太陽電池パネル(3)の発電電力で充電される内蔵電池(21)を備え、太陽電池パネル(3)の発電電力が前記内蔵電池(21)を介してロッド状電池パック(10)、(30)を充電するようにしてなる請求項１に記載されるソーラー充電器。
【請求項６】
前記脱着穴(20)に脱着自在に挿入されるロッド状アタッチメント(5)を備え、このロッド状アタッチメント(5)がＵＳＢ端子(54)を有する請求項１に記載されるソーラー充電器。
【請求項７】
前記支持脚(2)に脱着自在に接続されるＡＣアダプタ(4)を備え、このＡＣアダプタ(4)から入力される電力で内蔵電池(21)とロッド状電池パック(10)、(30)のいずれか又は両方が充電される請求項１又は５に記載されるソーラー充電器。
【請求項８】
前記ロッド状電池パック(10)、(30)が円柱状で、脱着穴(20)がこの円柱状のロッド状電池パック(10)、(30)を脱着自在に挿入できる円柱状である請求項１に記載されるソーラー充電器。
【請求項９】
前記ロッド状電池パック(10)、(30)が、これに接続される電子機器(60)、(70)の電池(61)、(71)を充電する携帯充電器である請求項１に記載されるソーラー充電器。
【請求項１０】
前記支持脚(2)の表面に、前記太陽電池パネル(3)と前記ＡＣアダプタ(4)と前記内蔵電池(21)と前記ロッド状電池パック(10)、(30)との相互電力供給状態を表示する表示部(25)を有する請求項１に記載されるソーラー充電器。
【発明の詳細な説明】
【技術分野】
【０００１】
本発明は、太陽電池で電池パックを充電するソーラー充電器に関する。
【背景技術】
【０００２】
太陽電池の発電電力で二次電池を充電できるソーラー充電器は開発されている（特許文献１参照）。この公報に記載されるソーラー充電器は、図１に示すように、前面に太陽電池パネル９３を設けて底部に充電できる電池９１を脱着自在に収納する収納部９４を設けている。このソーラー充電器は、収納部９４に二次電池９１をセットして、太陽電池パネル９３の発電電力で充電する。したがって、このソーラー充電器は商用電源を使用することなく電池を充電できるので、便利に携帯して商用電源のない用途で便利に使用できる。
【先行技術文献】
【特許文献】
【０００３】
【特許文献１】特開２００８−１０４２４９号公報
【発明の概要】
【発明が解決しようとする課題】
【０００４】
しかしながら、図１のソーラー充電器は、ケース９２に収納部９４を設けて、ここに電池９１を入れて充電するので、充電される電池を効率よく放熱するのが難しい。ソーラー充電器は、たとえば夏期の暑いときに、強い太陽光線に直接に照射される状態で発電電力を大きくできる。この状態は、電池の充電電流を大きくできるが、効率よく放熱できないことから、電池の温度上昇を大きくする欠点がある。電池の温度上昇は、電池を劣化させる原因となり、また、電池を保護するために充電電流を制限する必要があって、電池の充電時間を長くする。
【０００５】
また、図１のソーラー充電器は、底部に、底に開口する収納部９４を設けて、ここに電池９１を入れて充電するので、電池９１の脱着に手間がかかる欠点がある。それは、底部に設けている収納部に電池を出し入れするのに手間がかかるからである。とくに、両端に電極のある電池は、その両端の電極が端子に押圧される状態でセットされるので、収納部の凹部から取り出すのが簡単でない。とくに、収納部に全ての電池をセットする状態では、指を入れる隙間がなく、両端から挟まれる状態で保持されている電池を取り出すのは決して簡単でない。さらに、電池９１を脱着する毎に底蓋９５を開閉するので、この操作にも手間がかかる。
【０００６】
さらにまた、ケース９２に設けている収納部９４となる凹部は、特定の電池をセットできる内形としているので、充電容量が異なる電池パックをセットできない欠点もある。このため、特定の電池を充電するように設計されたソーラー充電器は、特定の電池のみを充電できるものであって、たとえば充電容量の大きな電池の充電には使用できない欠点がある。
【０００７】
本発明は、さらに以上の欠点を解決することを目的に開発されたものである。本発明の重要な目的は、電池を効率よく冷却しながら速やかに充電できるソーラー充電器を提供することにある。
また、本発明の他の大切な目的は、充電できる電池を簡単に脱着自在でき、しかも必要であれば、充電容量が異なる電池パックの充電も可能であるソーラー充電器を提供することにある。
【課題を解決するための手段及び発明の効果】
【０００８】
本発明のソーラー充電器は、充電できる電池１を脱着自在にセットできる支持脚２と、この支持脚２に連結されて、支持脚２に電池１の充電電力を供給すると共に、支持脚２で所定の傾斜角（α）に支持される太陽電池パネル３とを備えている。充電できる電池１は、細長いロッド状電池パック１０、３０であって、先端部に、支持脚２に設けている電源端子２２に接続される接続端子１２を備えている。支持脚２は、太陽電池パネル３の裏面に固定されて、太陽電池パネル３を所定の傾斜角（α）に支持する形状であって、ロッド状電池パック１０、３０の後端部を外部に突出させて先端部を脱着自在に挿入して連結する脱着穴２０を有している。脱着穴２０は、ここに挿入されて脱着穴２０の外部にあるロッド状電池パック１０、３０を太陽電池パネル３の背面に配置する位置にあって、ロッド状電池パック１０、３０の接続端子１２に接続される電源端子２２を内面に設けている。ソーラー充電器は、支持脚２に設けている脱着穴２０にロッド状電池パック１０、３０の先端部を挿入して、太陽電池パネル３の発電電力でロッド状電池パック１０、３０を充電する。
【０００９】
以上のソーラー充電器は、電池を効率よく冷却しながら速やかに充電できる特徴がある。このソーラー充電器は、夏期の暑い環境において、太陽電池パネルに直接に太陽光を照射する状態においても、電池の温度上昇を少なくしながら、速やかに充電できる。とくに、以上のソーラー充電器は、ロッド状電池パックの先端部を挿入して後端部を外部に突出させるので、外部に露出できる面積を大きくできることから、ロッド状電池パックに太陽光線が直接に照射するのを太陽電池パネルで遮断しながら、外部に露出して有効に放熱できる面積を広くできる。このため、ロッド状電池パックを効率よく放熱して温度上昇を抑え、さらに、太陽光線に照射されることによる温度上昇も少なくできる。したがって、太陽電池パネルに、直接に強い太陽光線を照射して効率よく発電しながら、電池の温度を低くできる特徴がある。
【００１０】
また、以上のソーラー充電器は、充電される電池を簡単に脱着できる特徴がある。それは、以上のソーラー充電器が、充電される電池を細長いロッド状電池パックとして先端部に接続端子を設けた形状とし、さらに、太陽電池パネルの裏面に固定している支持脚の背面に脱着穴を設けて、この脱着穴にロッド状電池パックの先端部を挿入して、後端部を外部に突出させる状態でセットして充電できるからである。この状態でセットされるロッド状電池パックは、外部に突出している後端部を掴んで簡単に脱着できる。
【００１１】
また、以上のソーラー充電器は、ロッド状電池パックの先端部を脱着穴に挿入して支持脚に脱着できるように連結するので、ロッド状電池パックの長さに制約がない。このため、必要であれば長くして充電容量を大きくしてなる電池パックも支持脚に連結して充電することができる。また、ロッド状電池パックに代わって、脱着穴にロッド状アタッチメントを挿入することで種々の用途に使用できる特徴もある。
【００１２】
本発明のソーラー充電器は、支持脚２を柱状として、太陽電池パネル３を固定してなる固定面２Ｂを柱状である支持脚２の長手方向に対して直交する面とするとして、底面２Ａを柱状である支持脚２の長手方向に対して傾斜する面とすることができる。このソーラー充電器は、支持脚２の底面２Ａを水平面に載せて、太陽電池パネル３を所定の傾斜角（α）に配置すると共に、柱状である支持脚２の上面２Ｃに脱着穴２０を設けることができる。
【００１３】
以上のソーラー充電器は、ロッド状電池パックを太陽電池パネルの上面に配置することから、ロッド状電池パックによってバランスが崩れることがなく、太陽電池パネルを所定の傾斜角（α）で安定して設置できる特徴もある。
【００１４】
本発明のソーラー充電器は、支持脚２に設けている脱着穴２０を、太陽電池パネル３と平行な方向に伸びるように設けて、ここに挿入するロッド状電池パック１０、３０を太陽電池パネル３と平行に配置することができる。
以上のソーラー充電器は、細長いロッド状電池パックを太陽電池パネルの背面にバランスよく邪魔にならないように配置できる。とくに、ロッド状電池パックを太陽電池パネルと平行に配置することで、ロッド状電池パックに太陽光線が直接に照射されるのを太陽電池パネルで確実に遮断できる。
【００１５】
本発明のソーラー充電器は、支持脚２の上面２Ｃを太陽電池パネル３と直交する面として、この上面２Ｃに直交する方向に伸びるように脱着穴２０を設けることができる。
【００１６】
本発明のソーラー充電器は、支持脚２が、太陽電池パネル３の発電電力で充電される内蔵電池２１を備えて、太陽電池パネル３の発電電力で、内蔵電池２１を介してロッド状電池パック１０、３０を充電することができる。
以上のソーラー充電器は、太陽電池パネルの発電電力で内蔵電池を充電するので、ロッド状電池パックを連結しない状態では、太陽電池パネルの発電電力で内蔵電池を充電できる。このため、太陽電池パネルの発電電力が十分でない状態においては、太陽電池パネルのみでなく内蔵電池でもってロッド状電池パックを効率よく充電できる。
【００１７】
本発明のソーラー充電器は、脱着穴２０に脱着自在に挿入されるロッド状アタッチメント５を備え、このロッド状アタッチメント５がＵＳＢ端子５４を有することができる。
以上のソーラー充電器は、脱着穴にロッド状アタッチメントを挿入することでＵＳＢ端子のある他の電子機器に電力を供給できる。
【００１８】
本発明のソーラー充電器は、支持脚２に脱着自在に接続されるＡＣアダプタ４を備え、このＡＣアダプタ４から入力される電力で内蔵電池２１とロッド状電池パック１０、３０のいずれか又は両方を充電することができる。
以上のソーラー充電器は、太陽電池パネルの発電電力が十分でない状態では、ＡＣアダプタからの供給電力で内蔵電池を充電し、また、ロッド状電池パックを充電できる。
【００１９】
本発明のソーラー充電器は、ロッド状電池パック１０、３０を円柱状として、脱着穴２０を、この円柱状のロッド状電池パック１０、３０を脱着自在に挿入できる円柱状とすることができる。
以上のソーラー充電器は、ロッド状電池パックをスッキリと綺麗な外観にできる。
【００２０】
本発明のソーラー充電器は、ロッド状電池パック１０、３０を、これに接続される電子機器６０、７０の電池６１、７１を充電する携帯充電器とすることができる。
以上のソーラー充電器は、ロッド状電池パックを脱着穴から外して他の種々の電子機器の電池を充電できる。
【００２１】
本発明のソーラー充電器は、支持脚２の表面に、太陽電池パネル３とＡＣアダプタ４と内蔵電池２１とロッド状電池パック１０、３０との相互電力供給状態を表示する表示部２５を備えることができる。
以上のソーラー充電器は、ロッド状電池パックや内蔵電池の充電状態を表示部で確認できるので、ユーザーは便利に使用でき、また、ロッド状電池パックを確実に充電できる特徴がある。
【図面の簡単な説明】
【００２２】
【図１】従来のソーラー充電器の分解斜視図である。
【図２】本発明の一実施例にかかるソーラー充電器の斜視図である。
【図３】図２に示すソーラー充電器の背面斜視図である。
【図４】本発明の一実施例にかかるソーラー充電器の垂直縦断面図である。
【図５】図４に示すソーラー充電器のＡ−Ａ線断面図である。
【図６】本発明の一実施例にかかるソーラー充電器のブロック回路図である。
【図７】図４に示すソーラー充電器のロッド状電池パックの斜視図である。
【図８】図４に示すソーラー充電器とロッド状電池パックの脱着構造を示す拡大断面図である。
【図９】図７に示すロッド状電池パックを電子機器に接続する状態を示す平面図である。
【図１０】ロッド状電池パックの他の一例を示す斜視図であって、ロッド状電池パックを電子機器に接続する状態を示す斜視図である。
【図１１】図１０に示すロッド状電池パックと電子機器のブロック回路図である。
【図１２】図３に示すソーラー充電器の表示部の一例を示す平面図である。
【図１３】図３に示すソーラー充電器にロッド状アタッチメントを装着する状態を示す背面斜視図である。
【図１４】図１３に示すソーラー充電器のブロック回路図である。
【発明を実施するための形態】
【００２３】
以下、本発明の実施例を図面に基づいて説明する。ただし、以下に示す実施例は、本発明の技術思想を具体化するためのソーラー充電器を例示するものであって、本発明はソーラー充電器を以下のものに特定しない。
【００２４】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２５】
図２ないし図６に示すソーラー充電器は、充電できる電池１を脱着自在にセットできる支持脚２と、この支持脚２に連結されて支持脚２に電池１の充電電力を供給すると共に、この支持脚２でもって、水平面に対して所定の傾斜角（α）に支持される太陽電池パネル３とを備える。
【００２６】
充電できる電池１は、細長いロッド状電池パック１０であって、先端部に支持脚２の電源端子２２に接続される接続端子１２を設けている。図７のロッド状電池パック１０は円筒状で、先端面の中心に接続端子１２を設けている。図８は、ロッド状電池パック１０の先端部の断面図を示している。この断面図に示すロッド状電池パック１０は、先端面の中心に、支持脚２の電源端子２２である円柱状のピンジャック２３を挿入する接続穴１３を設けている。ピンジャック２３は、先端と、先端を除く部分とに絶縁して正負の電源端子２２を設けている。接続穴１３は、ピンジャック２３の先端と、先端を除く部分とに弾性的に接触する接続端子１２を設けている。接続端子１２は弾性変形する金属板で、ピンジャック２３の電源端子２２に弾性的に押圧されて電気接続される。このロッド状電池パック１０は、先端面の中心に設けた接続穴１３にピンジャック２３を挿入して、ピンジャック２３の電源端子２２を接続端子１２に接続する。このロッド状電池パック１０は、支持脚２に設けた脱着穴２０に挿入されると、ピンジャック２３が接続穴１３に挿入されるので、円柱状のロッド状電池パック１０を挿入する姿勢に制約がない。すなわち、ロッド状電池パック１０を、どの位置に回転して脱着穴２０に挿入しても、接続端子１２を電源端子２２に接続できる。
【００２７】
ロッド状電池パック１０は、接続穴１３に支持脚２のピンジャック２３を挿入して、支持脚２から供給される電力で内蔵している電池１１を充電する。内蔵している電池１１は、リチウムイオン電池からなる円筒形電池である。ただし、ロッド状電池パック１０に内蔵される電池には、ニッケル水素電池やニッケルカドミウム電池などの充電できる全ての電池を使用できる。
【００２８】
ロッド状電池パック１０は、図６のブロック回路図に示すように、支持脚２から供給される電力で内蔵している電池１１を充電する第１の充電回路１９を内蔵している。第１の充電回路１９は、支持脚２から供給される電力を、内蔵している電池１１を充電する電圧と電流に変換すると共に、満充電を検出して充電を停止する回路である。内蔵している電池１１をリチウムイオン電池とするロッド状電池パック１０は、第１の充電回路１９でもって、電池１１を定電圧、定電流充電して満充電する。第１の充電回路１９を内蔵するロッド状電池パック１０は、内蔵している電池１１を安定して充電できる。ただ、ロッド状電池パックに内蔵している電池を充電する充電回路は、支持脚に内蔵することもできる。
【００２９】
さらに、ロッド状電池パック１０は、図９に示すように、支持脚２から外して、他の電子機器６０に接続して、接続する電子機器６０の電池６１を充電するのに使用される。すなわち、携帯充電器に使用されるロッド状電池パック１０は、接続穴１３に、電子機器６０に接続しているピンジャック６３を接続し、電子機器６０に電力を供給することができる。また、携帯充電器に使用されるロッド状電池パックは、図１０と図１１に示すように、他の電子機器７０に接続する専用のコネクタ３４を設け、このコネクタ３４を介して電子機器７０を接続して、他の電子機器７０に電力を供給し、また、この電子機器７０に内蔵される電池７１を充電することもできる。このロッド状電池パック３０は、内蔵している電池１１の出力を安定化する安定化回路３８を内蔵している。この安定化回路３８は、たとえば内蔵している電池１１の出力を、出力電圧を５Ｖ、出力電流の最大値を１Ａに安定化して出力する。
【００３０】
図７と図８のロッド状電池パック１０は、内蔵している電池１１の残容量を示す残容量表示部１４を先端面に設けている。残容量表示部１４は、ロッド状電池パック１０に内蔵している発光ダイオード１５と、この発光ダイオード１５の光を入射して外部に放射するランプリーダ１６とを備える。発光ダイオード１５は、発光色や点滅状態を変更して電池１１の残容量を表示する。ランプリーダ１６は、先端の露出面１６ａをロッド状電池パック１０の先端面に露出して、後端部に約４５度の傾斜面１６ｂを設けている。このランプリーダ１６は、下から上に照射される光を傾斜面１６ｂで全反射して垂直方向から水平方向に変更して、先端の露出面１６ａから外部に照射する。図に示すロッド状電池パック１０は、先端面に透光プレート１８を固定しており、ランプリーダ１６の露出面１６ａから照射される光を、この透光プレート１８に透過させて外部に照射している。さらに、図  のロッド状電池パック１０は、図において先端部の上面に、スイッチボタン１７を設けている。このスイッチボタン１７は、残容量を検出して表示する残容量回路（図示せず）に接続している。このスイッチボタン１７が押されると、残容量回路は残容量に相当する発光色で発光ダイオード１５を点灯して電池１１の残容量を表示する。
【００３１】
太陽電池パネル３は四角形であって、裏面に支持脚２を固定して、支持脚２で所定の傾斜角（α）に支持される。図４のソーラー充電器は、支持脚２の底面２Ａを水平面に載せて、太陽電池パネル３を所定の傾斜角（α）で安定してセットできるようにしている。ただ、ソーラー充電器は、太陽電池パネルの下縁と、支持脚の底面とを水平面に載せて、太陽電池パネルを所定の傾斜角（α）で安定して支持することもできる。太陽電池パネル３は、支持脚２の内蔵電池２１を充電すると共に、支持脚２にセットされるロッド状電池パック１０を充電する。この太陽電池パネル３の出力電流は、完全に放電された内蔵電池２１を、５時間〜２０時間で満充電できるように設定される。たとえば、内蔵電池２１に３６００ｍＡｈのリチウムイオン電池を使用するソーラー充電器において、太陽電池パネル３の出力電流を４５０ｍＡとして、完全に放電された内蔵電池２１を約８時間で満充電できる。太陽電池パネル３の出力電圧は、内蔵電池２１を充電できる電圧に設定される。内蔵電池２１を１セルのリチウムイオン電池とするソーラー充電器にあっては、太陽電池パネル３の出力電圧を４．５Ｖ〜６Ｖとして内蔵電池２１を充電できる。太陽電池パネル３は、複数の太陽電池素子を直列接続する個数を多くして出力電圧を高くできる。また、太陽電池素子を並列に接続する個数を多くして出力電流を大きくできる。太陽電池パネル３は、出力電流を大きくして、内蔵電池２１を満充電する時間を短くできる。
【００３２】
支持脚２は、太陽電池パネル３の裏面に固定されて太陽電池パネル３を所定の傾斜角（α）に支持する。図２ないし図４の支持脚２は断面形状を四角形とする柱状で、太陽電池パネル３を固定している固定面２Ｂを、柱状である支持脚２の長手方向に対して直交する面としている。また、支持脚２は、その底面２Ａを、柱状である支持脚２の長手方向に対して傾斜する面としている。この支持脚２は、支持脚２の長手方向に対する底面２Ａの角度（θ）が太陽電池パネル３の傾斜角（α）を特定する。すなわち、太陽電池パネル３の傾斜角（α）は、９０−θとなる。したがって、底面２Ａの長手方向に対する角度（θ）で太陽電池パネル３の水平面に対する傾斜角（α）を特定できる。太陽電池パネル３は、太陽光線が垂直に入射する状態で最も出力が大きくなる特性がある。太陽光線が太陽電池パネル３に入射する仰角は、四季や時間により変化する。支持脚２は、四季を通じて太陽電池パネル３が効率よく発電するように、傾斜角（α）を３５度〜５０度とする。
【００３３】
支持脚２は、上面２Ｃに脱着穴２０を設けている。断面形状を四角形とする支持脚２は、背面となる上面２Ｃに脱着穴２０を設けている。図の支持脚２は断面形状を四角形とするが、支持脚は必ずしも断面形状を四角形とする必要はなく、断面形状を多角形とし、あるいは楕円形とし、あるいはまた、円形とすることもできる。さらに、支持脚は、必ずしも柱状とする必要はなく、太陽電池パネルの裏面に固定されて、太陽電池パネルを所定の傾斜角（α）で支持できる全ての形状とすることができる。
【００３４】
脱着穴２０は、ロッド状電池パック１０の先端部を挿入して、挿入された姿勢に保持できる形状としている。図のソーラー充電器は、ロッド状電池パック１０を円柱状としているので、脱着穴２０を、この円柱状のロッド状電池パック１０を脱着自在に挿入できる円柱状としている。この脱着穴２０は、ロッド状電池パック１０の全体を挿入する深さではない。脱着穴２０は、ロッド状電池パック１０の長さよりも浅く、ロッド状電池パック１０の後端部を外部に突出させるようにしている。脱着穴２０の深さは、ロッド状電池パック１０の全長の１／２よりも浅く、好ましく１／３よりも浅い。また、脱着穴２０は、ここにロッド状電池パック１０を挿入して支持できるように、ロッド状電池パック１０の直径よりも深くしている。さらに脱着穴２０は、ここにロッド状電池パック１０を挿入して、ロッド状電池パック１０を太陽電池パネル３の背面に配置する。図４のソーラー充電器は、柱状である支持脚２の上面２Ｃに脱着穴２０を設けて、ロッド状電池パック１０を太陽電池パネル３の背面に配置している。
【００３５】
さらに、脱着穴２０は、太陽電池パネル３と平行な方向に伸びるように設けられて、ここに挿入されるロッド状電池パック１０を太陽電池パネル３と平行な姿勢に配置する。図４の支持脚２は、固定面２Ｂを長手方向に直交する面として、背面となる上面２Ｃに直交する方向に伸びるように脱着穴２０を設けている。この脱着穴２０に挿入されるロッド状電池パック１０は、太陽電池パネル３の背面にあって、太陽電池パネル３と平行な姿勢に保持される。脱着穴２０は、ロッド状電池パック１０と太陽電池パネル３との間隔が、好ましくは１ｃｍ以上となる位置に設けられる。
【００３６】
脱着穴２０は、図８に示すように、ここに挿入されるロッド状電池パック１０の接続端子１２に接続される電源端子２２を設けている。図の脱着穴２０は、底面の中心に、円柱状のピンジャック２３を設けて電源端子２２としている。ピンジャック２３は、脱着穴２０の底面から内側に向かって突出しており、先端と、先端を除く部分とに絶縁して正負の電源端子２２を設けている。ロッド状電池パック１０の接続穴１３は、ピンジャック２３の先端と、先端を除く部分とに弾性的に接触する接続端子１２を設けている。ピンジャック２３は、ロッド状電池パック１０の接続穴１３に挿入されて、電源端子２２を接続端子１２に接続する。
【００３７】
支持脚２は、太陽電池パネル３の出力で充電される内蔵電池２１を内蔵している。このソーラー充電器は、太陽電池パネル３の発電電力が内蔵電池２１を介してロッド状電池パック１０を充電する。このソーラー充電器は、ロッド状電池パック１０をセットしない状態においても、太陽電池パネル３の発電電力で内蔵電池２１を充電できる。このため、太陽電池パネル３の発電電力を有効に利用して、ロッド状電池パック１０を充電できる。さらに、ソーラー充電器は、図６に示すように、内蔵電池２１を介することなく、太陽電池パネル３の発電電力で直接にロッド状電池パック１０を充電することもできる。また、太陽電池パネル３の発電電力と内蔵電池２１の両方の電力でロッド状電池パック１０を充電することもできる。図６に示す支持脚２は、内蔵電池２１の出力と太陽電池パネル３の出力を安定化して出力する出力回路２８を内蔵している。この出力回路２８は、たとえば内蔵電池２１の出力と太陽電池パネル３の出力を、出力電圧を５Ｖ、出力電流の最大値を５００ｍＡに安定化して電源端子２２に出力する。
【００３８】
内蔵電池２１を備える支持脚２は、内蔵電池２１を充電する第２の充電回路２９を内蔵している。第２の充電回路２９は、太陽電池パネル３の発電電力を、内蔵電池２１を充電できる電圧と電流に変換して出力する。さらに、この第２の充電回路２９は、内蔵電池２１の満充電を検出して充電を停止する。内蔵電池２１をリチウムイオン電池とするソーラー充電器は、第２の充電回路２９で内蔵電池２１の電圧を検出して満充電を判定する。内蔵電池をニッケル水素電池とするソーラー充電器は、第２の充電回路でもって、内蔵電池のピーク電圧、またはピーク電圧からの電圧降下であるΔＶを検出して満充電を判定する。内蔵電池をニッケル水素電池とするソーラー充電器は、第２の充電回路でもって内蔵電池を定電流充電する。
【００３９】
さらに、図４ないし図６の支持脚２は、ＡＣアダプタ４を接続する外部入力コネクタ２４を底面２Ａに設けている。外部入力コネクタ２４にはＡＣアダプタ４が接続される。ＡＣアダプタ４から入力される電力は、第２の充電回路２９に入力されて内蔵電池２１を充電する。この支持脚２は、ＡＣアダプタ４から入力される電力を内蔵電池２１を充電する電圧と電流に変換する回路を備える。このソーラー充電器は、太陽電池パネル３の発電電力が小さい状態、たとえば雨や曇天の状態で、ＡＣアダプタ４から入力される電力で内蔵電池２１を充電できる。また、ＡＣアダプタ４を接続する支持脚２は、ＡＣアダプタ４から入力される電力と、内蔵電池２１からの電力の両方をロッド状電池パック１０に出力して充電することもできる。
【００４０】
さらに、図３の支持脚２は、背面である上面２Ｃに、太陽電池パネル３とＡＣアダプタ４と内蔵電池２１とロッド状電池パック１０、３０との相互電力供給状態を表示する表示部２５を備えている。図１２に示す表示部２５は、脱着穴２０にセットされるロッド状電池パック１０、３０への電力の供給状態と、支持脚２に内蔵される内蔵電池２１への電力の供給状態とを表示パネル２７の点灯状態で外部に表示している。この表示部２５は、ロッド状電池パック１０と内蔵電池２１への電力供給状態を複数の発光領域２７ｘで表示する表示パネル２７と、この表示パネル２７の各々の発光領域２７ｘに光を照射して点灯させる複数の発光ダイオード（図示せず）とを備える。表示パネル２７は、支持脚２の上面に固定しているプラスチックシートで、部分的に透光部を設けて発光領域２７ｘとしている。さらに、図３に示すソーラー充電器は、これらの表示部２５の表示を切り換える操作スイッチ２６を支持脚２の上面の下部に設けており、この操作スイッチ２６を操作して表示部２５の表示状態を切り換えるようにしている。
【００４１】
図１２に示す表示部２５は、太陽電池パネルを示す図形Ａと、ＡＣアダプタを示す図形Ｂと、内蔵電池を示す図形Ｃと、ロッド状電池パックを示す図形Ｄとを表示パネル２７に表示すると共に、太陽電池パネルから出力される電力がロッド状電池パックと内蔵電池とに供給される経路を示す矢印ａ及び矢印ｂと、ＡＣアダプタから入力される電力がロッド状電池パックに供給される経路を示す矢印ｃと、内蔵電池の出力がロッド状電池パックに供給される経路を示す矢印ｄとを表示パネル２７に表示している。この表示パネル２７は、各々の経路を示す矢印ａ〜ｄを透光部として発光領域２７ｘとしている。この表示部２５は、電力が供給される経路に相当する矢印を点灯させて、電力の供給状態を表示する。電力が供給されない経路に相当する矢印は点灯させることなく消灯して、電力が供給されないことを表示する。この表示パネル２７は、点灯する矢印によって電力を供給する方向をわかりやすく表示できる。
【００４２】
さらに、図に示す表示部２５は、ロッド状電池パックに内蔵される電池と内蔵電池の充電容量（残容量）を表示できる構造としている。図の表示部２５は、ロッド状電池パックを示す図形Ｄと内蔵電池を示す図形Ｃとを透光部として発光領域２７ｙとすると共に、これらの発光領域２７ｙに対向して配置される発光ダイオードの発光色を変化させて、ロッド状電池パックに内蔵される電池と内蔵電池の充電容量（残容量）を発光色で表示する構造としている。この表示部２５は、ロッド状電池パックに内蔵される電池と内蔵電池の充電容量（残容量）に応じて、たとえば、赤色、黄色、緑色の三段階に分けて発光領域２７ｙを点灯することで、ロッド状電池パック及び内蔵電池の充電容量（残容量）を明確に認識できる。
【００４３】
以上の表示部２５は、ロッド状電池パック１０や内蔵電池２１の充電状態をユーザーにわかりやすく表示できる特徴がある。ただ、表示部は、ロッド状電池パック及び内蔵電池の充電状態を表示する構造を以上の構造には特定しない。表示部は、ロッド状電池パック及び内蔵電池の充電状態を表示できる種々の構造とすることができる。たとえば、表示部は、図示しないが、発光ダイオードによらず液晶パネルでロッド状電池パックや内蔵電池の充電状態を表示することもできる。
【００４４】
さらに、図１３と図１４のソーラー充電器は、脱着穴２０に脱着自在に挿入されるロッド状アタッチメント５を備える。このロッド状アタッチメント５は、ＵＳＢ端子５４を有する。ロッド状アタッチメント５は、脱着穴２０に挿入されて、電源端子２２に接続される接続端子５２を有し、この接続端子５２から入力される電力を、ＵＳＢ規格の電圧と電流に変換して出力する変換回路５９を内蔵している。ＵＳＢ端子５４は、ＵＳＢコネクタを備える電子機器を接続し、あるいは、ＵＳＢケーブル７を介して電子機器７０を接続して、内蔵電池２１や太陽電池パネル３の出力を、他の電子機器７０に供給できる。
【産業上の利用可能性】
【００４５】
本発明のソーラー充電器は、太陽電池パネルの発電電力を利用してロッド状電池パックを充電して、ロッド状電池パックで他の電子機器に電力を供給し、あるいは電子機器の電池を充電し、あるいはまた、ロッド状電池パックに代わってＵＳＢ端子などを有するロッド状アタッチメントを接続して、さらに種々の電子機器に電力を供給する。
【符号の説明】
【００４６】
１…電池
２…支持脚                  ２Ａ…底面
２Ｂ…固定面
２Ｃ…上面
３…太陽電池パネル
４…ＡＣアダプタ
５…ロッド状アタッチメント
７…ＵＳＢケーブル
１０…ロッド状電池パック
１１…電池
１２…接続端子
１３…接続穴
１４…残容量表示部
１５…発光ダイオード
１６…ランプリーダ          １６ａ…露出面
１６ｂ…傾斜面
１７…スイッチボタン
１８…透光プレート
１９…第１の充電回路
２０…脱着穴
２１…内蔵電池
２２…電源端子
２３…ピンジャック
２４…外部入力コネクタ
２５…表示部
２６…操作ボタン
２７…表示パネル            ２７ｘ…発光領域
２７ｙ…発光領域
２８…出力回路
２９…第２の充電回路
３０…ロッド状電池パック
３４…コネクタ
３８…安定化回路
５２…接続端子
５４…ＵＳＢ端子
５９…変換回路
６０…電子機器
６１…電池
６３…ピンジャック
７０…電子機器
７１…電池
９１…電池
９２…ケース
９３…太陽電池パネル
９４…収納部
９５…底蓋
【図１】
2010193686.tif 000003
【図２】
2010193686.tif 000004
【図３】
2010193686.tif 000005
【図４】
2010193686.tif 000006
【図５】
2010193686.tif 000007
【図６】
2010193686.tif 000008
【図７】
2010193686.tif 000009
【図８】
2010193686.tif 000010
【図９】
2010193686.tif 000011
【図１０】
2010193686.tif 000012
【図１１】
2010193686.tif 000013
【図１２】
2010193686.tif 000014
【図１３】
2010193686.tif 000015
【図１４】
2010193686.tif 000016